(57)【要約】【課題】構造が簡単で、きわめて簡単に製造でき、コストが安く、使い捨て可能であり、釣果に優れており、ワカサギ等の比較的小さい魚の釣り用として有用な擬似餌付き釣り針を提供する。【解決手段】擬似餌付き釣り針１は、釣り針本体２と、釣り針本体２に突き通して取り付けられた擬似餌３から成り、擬似餌３は、彩色されたゴム材で形成され、全体的に平面視で、ほぼくの字形の細長片として形成されており、くの字形の細長片のほぼ中央の屈曲部６に対して一端側に釣り針本体が突き刺されて釣り針本体に取り付けられている。【選択図】図１
0003174068.tif 000002
【実用新案登録請求の範囲】
【請求項１】
釣り針本体と、釣り針本体に取り付けられた擬似餌から成る擬似餌付き釣り針であって、
擬似餌は、彩色されたゴム材で形成され、全体的に平面視で、ほぼくの字形の細長片として形成されており釣り針本体に取り付けられている構成であることを特徴とする擬似餌付き釣り針。
【請求項２】
擬似餌は、くの字形の細長片のほぼ中央の屈曲部を除く一端側の部位において釣り針本体に突き刺されて取り付けられていることを特徴とする請求項１に記載の擬似餌付き釣り針。
【請求項３】
上記一端側の部位は、擬似餌の一端からほぼ中央の屈曲部までの２／３の長さの範囲内の部位であることを特徴とする請求項２に記載の擬似餌付き釣り針。
【請求項４】
擬似餌は、折り返されて形成された薄肉片を切断して細長片として形成されたものであることを特徴とする請求項１、２又は３に記載の擬似餌付き釣り針。
【請求項５】
擬似餌は、空気が入っていない扁平な状態で両側において折り曲げられた側縁の形成されているゴム風船を材料として製作されたものであって、前記折り曲げられた側縁が、ほぼくの字形の細長片の屈曲部となるように、ゴム風船の一部が細長片として切断されて製作されたものであることを特徴とする請求項１、２又は３に記載の擬似餌付き釣り針。
【請求項６】
擬似餌は、赤虫と同じ赤色に彩色されており、ワカサギ釣りに使用されることを特徴とする請求項１〜５のいずれかに記載の擬似餌付き釣り針。
【考案の詳細な説明】
【技術分野】
【０００１】
本考案は、ワカサギ等の比較的小さな魚の釣りに使用する擬似餌付き釣り針に関する。
【背景技術】
【０００２】
従来、擬似餌付き釣り針は、虫の幼虫や魚等の形状をした擬似餌を釣り針に装着したものが知られている（特許文献１〜３参照）。
【０００３】
また、上半部分の係止片と下半部分の可動片を一体に連設した形状から成り、Ｕ字針の重心を通る該Ｕ字針の落下方向線の区画線で区画した前記可動片の下半部分の表面積が上半部分の表面積より大に設定されて成る可撓性の擬似餌シートをＵ字針の背面部から垂設した釣り用擬似餌針が知られている（特許文献４参照）。
【先行技術文献】
【特許文献】
【０００４】
【特許文献１】実開平７−３４６５７号公報
【特許文献２】特開２０００−３２４９８１号公報
【特許文献３】特開２０００−２１７４７０号公報
【特許文献４】特許第３８０６３３５号
【考案の概要】
【考案が解決しようとする課題】
【０００５】
従来、ワカサギ等の釣りをする場合、釣り場で赤虫等の餌を釣り針に突き通して取り付けるようなことを行われている。しかし、赤虫等の餌を釣り針に突き通す作業は、手間がかかり面倒なことである。そこで、擬似餌を予め取り付けた釣り針が、近年使用されている。
【０００６】
上記従来の特許文献に開示されている擬似餌付き釣り針は、特許文献１〜３については、虫の幼虫や魚等の形状、或いは限定された等に製造しなくてはならず、また、特許文献４は、可動片の下半部分の表面積が上半部分の表面積より大に設定され、Ｕ字針の背面部から垂設した構成である。
【０００７】
従って、いずれも擬似餌自体の製作、釣り針への装着等において、ごく簡単に製造できるものではなく、コスト的な観点から、ワカサギ等の比較的な小さい魚の釣りにおいて、使い捨て用に多数使用する釣り針としては、必ずしも適切ではないものと考えられる。
【０００８】
本考案は、上記従来の擬似餌付き釣り針の問題を解決することを目的とし、構造が簡単で、きわめて簡単に製造でき、コストが安く、使い捨て可能であり、釣果に優れており、ワカサギ等の比較的小さい魚の釣り用として有用な擬似餌付き釣り針を提供することを課題とする。
【課題を解決するための手段】
【０００９】
本考案は上記課題を解決するために、釣り針本体と、釣り針本体に取り付けられた擬似餌から成る擬似餌付き釣り針であって、 擬似餌は、彩色されたゴム材で形成され、全体的に平面視で、ほぼくの字形の細長片として形成されており釣り針本体に取り付けられている構成であることを特徴とする擬似餌付き釣り針を提供する。
【００１０】
擬似餌は、くの字形の細長片のほぼ中央の屈曲部を除く一端側の部位において釣り針本体に突き刺されて取り付けられていることが好ましい。この一端側の部位は、擬似餌の一端からほぼ中央の屈曲部までの２／３の長さの範囲内の部位であることが好ましい。
【００１１】
擬似餌は、折り返されて形成された薄肉片を切断して細長片として形成されたものであることが好ましい。
【００１２】
擬似餌は、空気が入っていない扁平な状態で両側において折り曲げられた側縁の形成されているゴム風船を材料として製作されたものであって、前記折り曲げられた側縁が、ほぼくの字形の細長片の屈曲部となるように、ゴム風船の一部が細長片として切断されて製作されたものであることが好ましい。
【００１３】
擬似餌は、赤虫と同じ赤色に彩色されており、ワカサギ釣りに使用される擬似餌付き釣り針として適している。
【考案の効果】
【００１４】
本考案は次のような効果が生じる。
（１）構造が簡単であるので、きわめて簡単に製造でき、コストが安く、使い捨て可能である。
（２）使用者は、釣り場で釣り針に釣り餌をつけるような作業をする必要がなくなるので、高齢者、子供等も手軽に使用可能である。
（３）ワカサギ等の比較的小さい魚の釣り用の釣り針として、優れた釣果を発揮することができる。
【図面の簡単な説明】
【００１５】
【図１】本考案に係る擬似餌付き釣り針の実施例を説明する図である。
【図２】本考案に係る擬似餌付き釣り針の擬似餌の製作を説明する図であり、（ａ）、（ｂ）は薄肉のゴム片からの製作を説明する図であり、（ｃ）〜（ｆ）は風船からの製作を説明する図である。
【考案を実施するための形態】
【００１６】
本考案に係る擬似餌付き釣り針を実施するための形態を実施例に基づき図面を参照して、以下説明する。
【実施例１】
【００１７】
図１（ａ）は、本考案に係る擬似餌付き釣り針の実施例を説明する図である。図１（ａ）に示すように、本考案に係る擬似餌付き釣り針１は、釣り針本体２と、釣り針本体２に突き通して取り付けられた擬似餌３から成る。釣り針本体２は、通常使用されている公知の釣り針を使用すればよい。
【００１８】
本考案に係る擬似餌付き釣り針１の特徴は、擬似餌３の構成にある。この擬似餌３は、ゴム材で形成されている。そして、擬似餌３は、重力等を作用させないで自然に平面上に置かれた状態で、図１（ｂ）に示すように、平面視で、全体的にほぼくの字形の細長片として形成されている。
【００１９】
ほぼくの字形の細長片として形成された擬似餌３の寸法（幅、長さ、厚さ等）は、釣るべき魚によって異なるが、ワカサギの場合は、例えば、魚にとって赤虫と見えるように、幅が１〜３ｍｍ程度で、全長（折り返しを展長した全長）が３〜５ｍｍ程度で、厚さが０．１〜１ｍｍ程度に形成する。
【００２０】
そして、擬似餌３の一端４からほぼ中央の屈曲部６までの長さＬとした場合、一端４から２／３Ｌの長さの部位５までの範囲Ｓ内のいずれかの部位に釣り針本体２が突き刺されて、ほぼくの字形を維持するように、釣り針本体２の鉤部７に取り付けられている。
【００２１】
このような擬似餌３の部位において釣り針本体２に取り付けられる意味は次のとおりである。通常、赤虫等の餌を釣り針本体２に突き刺して取り付ける場合には、その長手方向のほぼ中央の屈曲部を含む腹部に突き刺すと餌の中身が流れ出て餌がしぼんでしまうので、頭部又は頭部近くに釣り針を突き刺して取り付ける。よって、疑似餌３の一端４近傍、又は一端４から離れていても、一端４から２／３Ｌの長さの部位５までの範囲Ｓ内の部位に突き刺して取り付ける。
【００２２】
なお、擬似餌３は、釣り針本体２の鉤部７ではなく、釣り針本体２の他の部分、例えば図１（ｄ）に示すように、釣り針本体２の上部８に取り付けられた構成としてもよい。
【００２３】
擬似餌３は、湖、川、海等の水中において、ターゲットである魚に対して目立つような色に彩色する。例えば、ワカサギについては、釣り餌として赤虫を使用する場合もあるので、擬似餌３は赤色に彩色されるようにしてもよい。
【００２４】
このように赤色に彩色された擬似餌付き釣り針１は、その擬似餌３は、使用に際して水中において、ほぼくの字形を保ち、かつ、釣り針本体２への取付部を中心に、さらに屈曲部６を中心に図１（ａ）の矢印に示すように、ゆらゆらと揺れるので、あたかも赤虫が水中に浮いているかのように見える。
【００２５】
そして、擬似餌３はゴム材で形成されているので、魚が噛みついても伸びるので、ちぎれたり、釣り針本体２からはずれたりしにくくなる。また、釣り上げた魚を釣り針本体２からはずす際にも、擬似餌３は伸びるので、引きちぎられたり、釣り針本体２からはずれるようなことがほとんど生じることなく、魚だけはずすことが可能となる。
【００２６】
ところで、ゴム製のくの字形の細長片から成る擬似餌３を製作するには、まず、図２（ａ）に示すように、折り曲げられた状態の薄肉の赤色等に彩色されたゴム片１１を製作する。そして、図２（ａ）で１点鎖線で示すように、ゴム片１１を細切りすれば、図２（ｂ）に示すような、ヘアピン状に折り曲げられたほぼくの字形の細長片から成る擬似餌３を製作することができる。
【００２７】
ゴム製のくの字形の細長片から成る擬似餌３を最も簡単に製作するには、ゴム風船を材料として使用する手段がある。このゴム風船からの製作は、図２（ｃ）及び図２（ｃ）のＤ−Ｄ断面図である図２（ｄ）に示すように、空気が入っていない状態において、ほぼ扁平状であって両側に折り曲げられた側縁１２が形成されているゴム風船１３を材料として使用する。
【００２８】
このようなゴム風船１３は、折り曲げられた両側の側縁１２においてくの字形のクセがついている。そして、図２（ｅ）に示すように、ゴム風船１３を例えば左右に切断し、その左右に切断されたゴム風船１３をそれぞれ細く切断することで、図２（ｆ）に示すようなくの字形の細長片から成る多数の擬似餌３を製作することができる。
【００２９】
このようにしてゴム風船１３から擬似餌３を製作すると、ゴム風船１３の折り曲げられた側縁１２が、ほぼくの字形の細長片として形成される擬似餌３の屈曲部６となり、別途屈曲部６を形成するような工程は不要である。
【００３０】
そして、このようにゴム風船１３からほぼくの字形の細長片として製作された擬似餌３は、ゴム風船１３の側縁１２におけるくの字形のクセがついているので、くの字形が維持でき、本発明に係る擬似餌付き吊り針１用に使用する擬似餌として最適である。
【００３１】
ところで、本考案者は、赤いゴム風船１３から製作した赤色に彩色された擬似餌付きの釣り針１を使用してワカサギ釣りを実証的に行ったが、釣果は、赤虫をつけた場合と同様又はむしろそれ以上に向上した。
【００３２】
通常、赤虫等の釣り餌は、釣り場で釣り針本体２につけているが、赤虫等の釣り餌を釣り針本体２につける手間は結構面倒で、特に、近年高年齢社会において、高齢者の釣り人口が増加している現況において、高齢者にとってきわめて面倒なことである。
【００３３】
本考案に係る擬似餌付き釣り針１によれば、使用者は、擬似餌３を釣り針本体２に取り付けた構成として購入することができるから、釣り場で餌を取り付けるような必要がない。従って、高齢者、子供等に簡単に使用することが可能となる。
【００３４】
なお、擬似餌３は、図１（ｃ）に示すように、全体的に平面視で、湾曲形に近いほぼくの字形の細長片として形成されている構成としてもよい。
【００３５】
以上、本考案に係る擬似餌付き釣り針を実施するための形態を実施例に基づいて説明したが、本考案はこのような実施例に限定されるものではなく、実用新案登録請求の範囲に記載された技術的事項の範囲内でいろいろな実施例があることは言うまでもない。
【産業上の利用可能性】
【００３６】
本考案に係る擬似餌付き釣り針は上記のような構成であるから、湖、川、海等の比較的小さな魚を釣る擬似餌付き釣り針として、有用である。
【符号の説明】
【００３７】
１  擬似餌付き釣り針
２  釣り針本体
３  擬似餌
４  擬似餌の一端
５  擬似餌の一端から屈曲部までの２／３の長さの部位
６  擬似餌の屈曲部
７  釣り針本体の鉤部
８  釣り針本体の上部
１１  材料としてのゴム片
１２  ゴム片の側縁
１３  ゴム風船
Ｌ  擬似餌の一端から屈曲部までの長さ
Ｓ  擬似餌の一端から屈曲部までの２／３の長さの範囲
【図１】
0003174068.tif 000003
【図２】
0003174068.tif 000004